(57)【要約】  【課題】  本発明は、体内の内壁に影響されずに体液を流す流路を確保できる管状のドレナージチューブにおいて、体液を流すことができる期間をできるだけ長くすることを課題とする。  【解決手段】  ドレナージチューブのチューブ本体の長手方向に沿って前記チューブ本体の外側面に複数の溝を形成することで、体内の内壁に影響されない体液の流路をチューブ本体で確保しつつ、チューブの外側面に設けられた複数の溝によっても体液が流れるので、チューブ本体が詰まった場合でも、体内の内壁により溝が塞がれない限り体液の流れを確保することができ、確率的に従来のものよりも長時間使用することが可能となる。【選択図】  図２
2005230415.tif 000002
【特許請求の範囲】
【請求項１】
チューブ本体と、
前記チューブ本体の長手方向に沿って前記チューブ本体の外側面に形成される複数の溝と
を有するドレナージチューブ。
【請求項２】
前記溝の上縁に前記溝の内側に突出する部材である溝内部保持手段を設けた請求項１に記載のドレナージチューブ。
【請求項３】
隣接する前記溝の上縁同士が一致し角を形成する請求項１に記載のドレナージチューブ。
【請求項４】
隣接する前記溝の上縁同士が滑らかにつながる請求項１に記載のドレナージチューブ。
【発明の詳細な説明】
【技術分野】
【０００１】
本発明は、結石や腫瘍などにより狭窄もしくは閉塞した胆管や膵管等に留置し、胆汁、膵液等を流通させるドレナージチューブに関する。
【背景技術】
【０００２】
一般的なドレナージチューブは、中空の可塑性のある管体により構成されている。しかし、このような構成のドレナージチューブは流路が一つであるために、短期間で内部が詰まり、胆管炎や膵炎を発生させる原因となる場合があった。また、胆管に留置した場合、膵管との合流部においてドレナージチューブの外面が膵管を塞いでしまい膵炎の原因になることがあった。
これに対応するものとして、下記特許文献１には、放射状に配列された板状体に複数の溝を形成することで、複数の流路を確保し短期間で流路が塞がることを防ぐ技術が開示されている。また、このような構成によれば胆管に留置しても外面が膵管を塞ぐことがない。
【特許文献１】特表平９−５０８５４１号公報
【発明の開示】
【発明が解決しようとする課題】
【０００３】
しかし、上記のような溝のみにより流路を確保すると、溝は体内の内壁に接触するために、狭窄や閉塞の原因によっては溝が体内の内壁によりすべて塞がれてしまう恐れがある。
管状のものであれば、このような恐れはないが上述のように流路が一つで詰まってしまうと完全に体液は流れなくなる。詰りにくくするために、管の内径を大きくすることも考えられるが、チューブは一定以上の強度が必要であるために壁部分の厚みを一定以上確保する必要があり内径を広げるには限界がある。
このような問題に鑑みて、本発明は、体内の内壁に影響されずに体液を流す流路を確保できる管状のドレナージチューブにおいて、体液を流すことができる期間をできるだけ長くすることを課題とする。
【課題を解決するための手段】
【０００４】
上記課題を解決するために、本発明は次のような構成を有する。
請求項１に記載の発明は、チューブ本体と、前記チューブ本体の長手方向に沿って前記チューブ本体の外側面に形成される複数の溝とを有するドレナージチューブである。
請求項２に記載の発明は、前記溝の上縁に前記溝の内側に突出する部材である溝内部保持手段を設けたものである。
請求項３に記載の発明は、請求項１に記載のドレナージチューブにおいて、隣接する前記溝の上縁同士が一致し角を形成するものである。
請求項４に記載の発明は、請求項１に記載のドレナージチューブにおいて隣接する前記溝の上縁同士が滑らかにつながるものである。
【発明の効果】
【０００５】
請求項１に記載の発明は、体内の内壁に影響されない体液の流路をチューブ本体で確保しつつ、チューブの外側面に設けられた複数の溝によっても体液が流れるので、チューブ本体が詰まった場合でも、体内の内壁により溝が塞がれない限り体液の流れを確保することができ、確率的に従来のものよりも長時間使用することが可能となる。また、ドレナージチューブの壁部分の強度は溝を形成してもあまり小さくならないので、中空部分の内径を小さくする必要がなく、全体として流路自体が拡大できる。すなわち、従来活用されなかった管の壁部分を占有していた空間を有効活用することができる。
請求項２に記載の発明は、前記溝の上縁に前記溝の内側に突出する部材である溝内部保持手段を設けたので、体内の内壁が溝を塞ごうとしても溝内部保持手段がこれを押さえるので、溝による流路が確保できることになる。
請求項３に記載の発明は、隣接する前記溝の上縁同士が一致し角を形成するので、管の外周に配列される各溝の幅を広くすることができ、それだけ流量を確保することができる。
請求項４に記載の発明は、隣接する前記溝の上縁同士が滑らかにつながるので、体内に接触する部分が丸みを帯びるので体内に対するストレスを少なくすることができる。
【発明を実施するための最良の形態】
【０００６】
以下、本発明の実施の形態について、図面を参照しながら説明する。
図１に本実施形態にかかるドレナージチューブの正面図を示し、図２にこのドレナージチューブの横断面図を示す。
本ドレナージチューブは合成樹脂により形成された可塑性のある管体であるチューブ本体１、チューブ本体１の両端に形成される端部開口２、チューブ本体の端部近傍の側面に形成される内部と流通する孔である側孔３、チューブ本体１の体内での移動を防止するために形成されるチューブ本体の端部近傍の側面から外側へ張り出す棘状突起４、チューブ本体の長手方向に沿って外側面に形成される複数の溝７により構成される。
このような構成をもつドレナージチューブの使用方法について説明する。図３にドレナージチューブの使用状態の一例を表す模式図を示す。胆管５５に狭窄物５２が発生した場合に、図３に示すように胆管５５内部からファーター乳頭５３を通り十二指腸５４内部にいたる範囲に本ドレナージチューブを留置する。このように留置することで狭窄物５２をドレナージチューブが押し上げて流路が確保され、胆汁が胆管内から一端の端部開口２および側孔３を介してドレナージチューブ内を流れ他端の端部開口２および側孔３から十二指腸内部へと流れる。同時に、溝７のうち、狭窄物５２によって塞がれていないものについても、胆汁が内部を流れることになる。また、膵管５１から流れてきた膵液が合流部５６に至った場合にも、溝７があるために合流部が塞がれることがなく、スムーズに膵液を流すことができる。
このような作用によって、どのような狭窄物の状態においてもチューブ内部の流路は確保でき、チューブ内部が閉塞したとしても、いずれかの溝７が埋まっていなければ流路は確保されるので、ドレナージチューブを留置しておくことができる時間を長くすることができる。
【０００７】
（変形例）
図４に、溝７の変形例を示すドレナージチューブの横断面図を示す。この溝７には、溝の上縁に溝の内側に突出する部材である溝内部保持体７ａが形成されている。この溝内部保持体７ａが形成されることで、体内の内壁が溝７を塞ごうとしてもこの溝内部保持体部分７ａが溝７内部へ内壁が到達することを防ぐので、溝７が形成する流路が確保できることになる。なお、ここでは、溝内部保持体７はチューブの長手方向に連続して形成されているが、これは一定間隔ごとに形成するようにしてもよい。
図５に、溝７の他の変形例を示すドレナージチューブの横断面図を示す。この溝７は、隣接する溝７の上縁同士が一致し角を形成し、鋸刃状になっている。このように溝７の上縁同士を一致させて角を形成するように配列することで、チューブの外周面に渡ってすべて溝とすることができ、多くの流路が確保できる。
図６に、溝７のさらに他の変形例を示すドレナージチューブの横断面図を示す。この溝７は隣接する前記溝の上縁同士が滑らかにつながっている。このようにすることで、体内の内面に当接する部分が丸みを帯びるので、力が集中することがなく内壁に与えるストレスを和らげることができる。
図７、図８に移動防止手段として棘状突起４に変えて、チューブの端部を屈曲させたドレナージチューブを示す。このような形状のドレナージチューブであっても溝７の作用により、より長時間体内に留置しておくことが可能となる。
【図面の簡単な説明】
【０００８】
【図１】実施の形態に係るドレナージチューブの正面図である。
【図２】実施の形態に係るドレナージチューブの横断面図である。
【図３】実施の形態に係るドレナージチューブの使用状態の一例を示す模式図である。
【図４】溝の変形例を示すドレナージチューブの横断面図である。
【図５】溝の他の変形例を示すドレナージチューブの横断面図である。
【図６】溝のさらに他の変形例を示すドレナージチューブの横断面図である。
【図７】チューブ本体の変形例を示すドレナージチューブの正面図である。
【図８】チューブ本体の他の変形例を示すドレナージチューブの正面図である。
【符号の説明】
【０００９】
１    チューブ本体
７    溝
７ａ  溝内部保持体
【図１】
2005230415.tif 000003
【図２】
2005230415.tif 000004
【図３】
2005230415.tif 000005
【図４】
2005230415.tif 000006
【図５】
2005230415.tif 000007
【図６】
2005230415.tif 000008
【図７】
2005230415.tif 000009
【図８】
2005230415.tif 000010